(57)【要約】【課題】  観賞魚用水槽のポンプの羽根が食べ残しの餌や、糞で詰まりやすかったり底面に溜まった食べ残しの餌や糞の掃除が定期的に必要であり、掃除の時に水槽内の水が全面的に濁ってしまうなど、観賞魚の飼育にとって水質管理が非常に重要であり、大きな負担にもなっている。【解決手段】  水槽内の１方に濾過装置を設置して、濾過した後の水を汲み上げればポンプの羽根は詰まることもなく、汲み上げによる水位差を利用して、濾過装置の底部の隅から濾過装置内へ、汚れた水を吸い込ませれば、常に底面が掃除され水質管理が軽減される。  この時に底面を濾過装置側へ傾斜をつけたり、ポンプからの吐出する水の向きを底面に向かって斜めにすればより完全に底面がきれいになるような水流を作り出すことが出来る。【選択図】図１
2006280314.tif 000002
【特許請求の範囲】
【請求項１】
底面に傾斜をつけた水槽。
【請求項２】
水槽の片側に、吸込口４を設けた隔壁３を取りつけ、吸込口４の反対側に、水槽の側面のガラス１との間に水が通るように隙間を開けた隔壁８を、隔壁３と直角に設けて汲上槽を形成し、側面のガラス１と隔壁３との間に、濾過材５を、両側に水が通るように隙間を開けて設置して、汲上槽の上にポンプ６を設置する。浄化した水の吐出口７は水槽の底面２に向けて斜めに開口する。底面２は、隔壁３の方向に傾斜をつけて形成する。以上のように構成された水槽の水の濾過方法。
【請求項３】
水槽の底面１２を、１方向か２方向に傾斜をつけて形成し、傾斜の低い方の隅に吸込口１３がくるように、ポンプ１６を設置し、ポンプ１６に隣接して上部濾過装置１３を設置する。濾過された水の吐出口１７は底面１２に向けて斜めに開口する。
以上のように構成された水槽の水の濾過方法。
【発明の詳細な説明】
【技術分野】
【０００１】
本発明は観賞魚用水槽の形状と、濾過方法に関するものである。
【背景技術】
【０００２】
従来の観賞魚用水槽の底面は、平らなものが一般的であり、濾過方法も上部に設置した濾過装置へポンプで水を汲み上げ、濾過材等で濾過して、濾過された水を濾過装置の底部から水槽へ落とす方法が一般的であり、一部にはポンプと一体になった濾過装置を水中に設置したり、水槽外に設置する方法もある。
【発明の開示】
【発明が解決しようとする課題】
【０００３】
従来の水の濾過方法は、水槽の水はきれいに浄化されるが、以下のような課題がある。食べ残しの餌や糞を、水と一緒に汲み上げるので、ポンプの羽根が詰まりやすくポンプが空転してポンプの故障の原因になる。
【０００４】
上部濾過装置は、水槽の底面の掃除などの関係であまり大きくできず、濾過材が詰まりやすく、全面的に詰まると水が外へあふれることもある。
【０００５】
特に底面の掃除は定期的に、サイホン作用を利用した器具などを使って水と一緒に食べ残しの餌や糞などを吸い上げてやらなければならず、砂利などを敷いてあれば掃除の時に水が濁り、観賞魚の健康にも悪影響を与えた。
【０００６】
本発明はポンプの羽根が詰まることもなく、濾過材が詰まっても水が外へあふれることがなく、底面の掃除も不要であり、濾過材の掃除の時にも水槽の水が濁らない濾過方法とそのための最良の水槽の形状を得ようとするものである。
【課題を解決するための手段】
【０００７】
上記課題を解決するために、本発明は水槽の底面を傾斜をつけた形状とした。
【０００８】
そして水槽の側面のガラスと平行に隔壁を設け、ガラスと隔壁の間を濾過槽として濾過槽の一方に水を汲み上げるための汲上槽を形成して、反対側を飼育槽とした。
【０００９】
汲上槽と濾過槽を仕切る隔壁は、ガラス側に隙間をつくり、ガラスと平行の濾過槽の隔壁の下方の隅（汲上槽の反対側）に吸込み口をつくる。
【００１０】
次に、濾過槽内へ、両側に隙間をつくって濾過材を設置し、汲上槽の上部にポンプを設置して、ポンプの吐出口を飼育槽の底面へ向けて斜めに開口する。
【００１１】
上記のように構成された水槽の濾過方法は、ポンプで汲上槽の水を汲み上げると、汲上槽の水位が下がり、汲上槽の隔壁の隙間から濾過槽内のガラス側の水も汲み上げられ水位が下がり、そのために濾過材の反対側の水が濾過材を通って、ガラス側へ流れる結果、水が濾過される。
【００１２】
このようにして濾過槽内の水位が下がると、飼育槽側の水が濾過槽側の隔壁の下方の隅に開口された吸込口から、濾過槽内へ吸い込まれる。
【００１３】
一方、ポンプの吐出口から吐出する水は、吐出口が斜め下に向けられているので飼育槽の底面に沈んだ餌の食べ残しや糞を吸入口の方へ流すように水流をつくる。
【００１４】
この時に、底面につけた傾斜が、食べ残しの餌や糞を吸入口近くまで押し流す水流の形成に有効な役割をはたす。
【００１５】
図５に本発明の水槽の水の濾過方法の水の流れを、矢印で示した。
【発明の効果】
【００１６】
本発明の観賞魚用の水槽の濾過方法は、水流によって底面に沈んだ食べ残しの餌や糞が常に吸入口から濾過槽内へ吸い込まれるので、底面の掃除が不要であり、ポンプで汲み上げる水は、濾過された後のきれいな水なので、ポンプの羽根が詰まることがない。
【００１７】
ポンプの水を、上部濾過装置の方法のように、高く汲み上げる必要がないので、循環する水の量が非常に多くなり、濾過効率がよく、水音も静かである。
（「請求項３」の濾過方法を除く）
【００１８】
濾過装置は水槽内なので、濾過面積が広くでき、濾過材の掃除の間隔が長くなり、もし濾過材が詰まっても、水が外へあふれることがない。
（「請求項３」の濾過方法を除く）
【００１９】
もしも濾過材が全面的に詰まっても、飼育槽との隔壁の少し低くしてある部分（汲上槽の部分）から、汲み上げ槽内へ飼育槽の水が逆流するので、ポンプの空転防止になるし、濾過材の掃除の限度の目安にもなる。
【００２０】
濾過材を掃除する時は、濾過材を静かに引き上げれば、飼育槽の水が吸水口から濾過槽内へ流れこむので、飼育槽の水が濁ることはなく、鑑賞魚の健康にもよい。
【発明を実施するための最良の形態】
【００２１】
以下、本発明の実施の形態を図１〜図４に基づいて説明する。
【００２２】
水槽のガラス１と平行に隔壁３を設置する。隔壁３の下方の隅には吸入口４を開口しておく。
【００２３】
吸入口の反対方向を、汲上槽を形成するための隔壁８で仕切り、汲上槽を形成して、水槽内を飼育槽と濾過槽、汲上槽の三槽に分ける。
【００２４】
汲上槽を形成する隔壁８は、濾過槽から汲上槽へ浄化された水が流れるように、ガラス側に隙間を開けておく。
【００２５】
次に、濾過槽内に、両側に隙間ができるような厚さの濾過材５を中央に設置する。
【００２６】
そのうえで、飼育槽内へ、隔壁３の方へ傾斜をつけて底面２を設ける。
【００２７】
汲上槽の上に、ポンプ６を設置して、吐出口７を底面２へ向かって斜めに開口する。
【実施例１】
【００２８】
図７と図８は、本発明の「請求項１」と、従来の上部濾過装置を組み合わせた実施例である。
【００２９】
それを図７と図８によって説明する。
【００３０】
水槽の底面１２を一方向に傾斜をつけて形成する。
【００３１】
底面１２の低い方の一端の上にポンプ１６を設置する。ポンプの吸込口１３は底面１２の近くまで延長しておく。
【００３２】
ポンプ１６に隣接して上部濾過装置１３を設置して、水の吐出口１７を底面１２へ向かって斜めに開口しておく。
【００３３】
「本発明を実施する最良の形態」及び「実施例１」の底面の傾斜は、二方向につけてもよく、図６は二方向に傾斜をつけた底面の状態を図示してある。
【図面の簡単な説明】
【００３４】
【図１】「請求項２」の濾過方法と底面の形状の側面図である。
【図２】「請求項２」の濾過方法と底面の形状を示す平面図である。
【図３】「図１」の反対側の側面図である。
【図４】「請求項２」の濾過方法と底面の形状を示す正面図である。
【図５】「請求項２」の濾過方法の水の流れを矢印で示した平面図である。
【図６】二方向に傾斜をつけた底面を示す斜視図である。
【図７】「請求項３」の濾過方法と、一方向に傾斜をつけた底面を示す側面図である。
【図８】「請求項３」の濾過方法と、一方向に傾斜をつけた底面を示す正面図である。
【符号の説明】
【００３５】
１、１１、２１      水槽のガラス
２、１２、２２      傾斜をつけた底面
３                  飼育槽と濾過槽の隔壁
４                  吸込口
５                  濾過材
６、１６            ポンプ
７、１７            吐出口
８                  汲上槽隔壁
９                  隔壁３の少し低くしてある部分
１０                ポンプの吸込口
１３                上部濾過槽
【図１】
2006280314.tif 000003
【図２】
2006280314.tif 000004
【図３】
2006280314.tif 000005
【図４】
2006280314.tif 000006
【図５】
2006280314.tif 000007
【図６】
2006280314.tif 000008
【図７】
2006280314.tif 000009
【図８】
2006280314.tif 000010